(57)【要約】【課題】紐状部材を筐体に取り付け可能にした携帯電話装置として携帯電話用ストラップを取り付けるようにしたものが実用化されている。しかし、携帯電話用ストラップは携帯電話装置を吊り下げる機能とアクセサリーとしての付加的な装飾機能を果たしているにとどまる。【解決手段】携帯電話装置の筐体の表面に紐状部材をはめ込む溝を設け、かつ溝の途中に紐状部材を固定する固定部材を設け、溝に紐状部材をはめ込むとともに、紐状部材を固定部材で筐体の表面に固定するように構成した。  紐状部材が緩衝材として機能し、筐体のすり傷、打ち傷等が減る。また、紐状部材と筐体の表面の間にメモ等をはさんだり、財布等に縛り付けて持ち運ぶことができる。また、紐状部材が携帯電話装置を持ったときの滑り止めとなる。またユーザー好みの紐状部材をつけることで携帯電話装置本体のファッション性を高めることができる。【選択図】図１
2005176179.tif 000002
【特許請求の範囲】
【請求項１】
紐状部材を筐体に取り付け可能にした携帯電話装置において、
筐体の表面に紐状部材をはめ込む溝を設け、
かつ、前記溝の途中に紐状部材を固定する固定部材を設け、
前記溝に紐状部材をはめ込むとともに、前記紐状部材を前記固定部材で筐体の表面に固定するようにした携帯電話装置。
【請求項２】
前記紐状部材を伸縮自在な部材として構成した請求項１に記載の携帯電話装置。
【請求項３】
前記固定部材に紐状部材を通す貫通孔を設け、
前記固定部材の貫通孔に紐状部材を通して、紐状部材を筐体に取り付けるようにした請求項１に記載の携帯電話装置。
【請求項４】
前記固定部材を筐体に対して着脱自在に設けたことを特徴とする請求項１に記載の携帯電話装置。
【発明の詳細な説明】
【技術分野】
【０００１】
本発明は、紐状部材を筐体に取り付け可能にした携帯電話装置に関する。
【背景技術】
【０００２】
従来の携帯電話装置は、携帯電話装置の筐体に小さな貫通孔を設けて携帯電話用ストラップを取り付けるようにしている。この携帯電話用ストラップは、携帯電話装置を吊り下げる機能とアクセサリーとしての付加的な装飾機能を果たしているが、携帯電話用ストラップが携帯電話装置に与える衝撃を緩衝するとか、携帯電話装置と他の物を一体に結ぶための紐として使えるようには構成されていない（例えば、特許文献１）。
【０００３】
また、携帯電話装置本体のファッション性を高める方法の一つとして、模様と色彩の異なる複数の着脱式カバーを準備しておき、ユーザーが気分に応じて好みの着脱式カバーを携帯電話装置に取り付けるという方法があるが、着脱式カバーのない携帯電話装置で携帯電話用ストラップを付けかえても、携帯電話用ストラップが基本的に携帯電話装置の筐体の表面から離れているため、アクセサリーそのもののファッション性を高めることはできても、着脱式カバーのように携帯電話装置の筐体そのものの外観は代わらないので、携帯電話装置本体のファッション性を高めることはできなかった。
【特許文献１】特開２００３−１５３７２７号公報（第２頁、第１図）
【発明の開示】
【発明が解決しようとする課題】
【０００４】
本発明は、携帯電話装置の筐体の表面に紐状部材を密着した形で取り付けることができ、紐状部材によって、携帯電話装置に加わる外部からの衝撃力を和らげる機能を付与するとともに、携帯電話装置と他の物を一体に結ぶための締結用の紐としての機能、また筐体の滑り止めとしての機能を果たすことができるようにした携帯電話装置を提供することを第一の目的としている。
【０００５】
また、ユーザーの気分に応じて好みの紐状部材を携帯電話装置の筐体の表面に固定できるようにすることにより、着脱式カバーを取り付けたときのように、携帯電話装置本体の外観に変化を与えてファッション性を高めることができる携帯電話装置を提供することを第二の目的としている。
【課題を解決するための手段】
【０００６】
本発明は、紐状部材を筐体に取り付け可能にした携帯電話装置において、筐体の表面に紐状部材をはめ込む溝を設け、かつ、溝の途中に紐状部材を固定する固定部材を設け、溝に紐状部材をはめ込むとともに、紐状部材を固定部材で筐体の表面に固定するようにしたことを最も主要な特徴とする。
【０００７】
また本発明は、紐状部材を伸縮自在な部材として構成したことを特徴としている。
【０００８】
そして、固定部材に紐状部材を通す貫通孔を設け、固定部材の貫通孔に紐状部材を通して、紐状部材を筐体に取り付けるようにしたことを特徴としている。
【０００９】
更に本発明は、固定部材を筐体に対して着脱自在に設けたことを特徴としている。
【発明の効果】
【００１０】
本発明によれば、紐状部材を携帯電話装置の筐体の表面に固定して、紐状部材を緩衝材
として使うことができ、筐体に外部から加わる衝撃を和らげ、筐体の表面にすり傷、打ち傷等が生じるのを減らすことができる。また、紐状部材と筐体の表面の間にメモ紙や筆記具などの小物をはさんだり、日常携行している財布やシステム手帳等に縛り付けて、携帯電話装置と他のものをワンセットにして持ち運ぶことができる。また、紐状部材が携帯電話装置を持ったときの滑り止めとなるという効果がある
また、ユーザー好みの紐状部材を携帯電話装置の筐体の表面に固定することにより、携帯電話装置本体の形状・模様に変化を与えてファッション性を高めることができる。特に、筐体の表面に溝を設けて、溝に紐状部材を配置して固定しているため、紐状部材が筐体の表面の所定位置である溝からずれないので、紐状部材が邪魔にならず、見栄えも良いという効果がある。
【発明を実施するための最良の形態】
【００１１】
本発明の携帯電話装置は、携帯電話装置の筐体の表面に紐状部材をはめ込む溝を設け、かつ、溝の途中に紐状部材を固定する固定部材を設け、溝に紐状部材をはめ込むとともに、紐状部材を固定部材で筐体の表面に固定するようにした構成を最良の形態としている。
【００１２】
この構成により、紐状部材が緩衝材の機能を果たし、筐体の表面のすり傷、打ち傷等が減るという効果がある。また、小物をはさんだり、日常携行している他の物に縛り付けて持ち運ぶこともできる。特に、筐体の表面に溝を設けて、溝に紐状部材を配置して固定しているため、紐状部材が筐体の表面の所定位置である溝からずれないので、紐状部材が邪魔にならず、滑り止めにもなる。また、任意の紐状部材を取り付けることにより携帯電話装置本体の外観を変化させることが出来るのでファッション性を高めることもできる。
【００１３】
そして、本発明の携帯電話装置は、紐状部材として伸縮自在な素材を用いることにしている。そのため、ディパックのリュックサックのように、紐状部材と筐体の間にボールペンや鉛筆のような細長い小物、あるいは電車の切符などのシート類を挟んで保持することが出来るという効果がある。
【００１４】
また、本発明の携帯電話装置は、固定部材に紐状部材を通す貫通孔を設け、固定部材の貫通孔に紐状部材を通して紐状部材を筐体に取り付けるようにしている。そのため、例えば、靴とくつ紐の関係のように、紐状部材を携帯電話装置の筐体の固定部材に通したり、外したりして、付けかえることが容易に出来るという効果がある。
【００１５】
また、本発明の携帯電話装置は、紐状部材を固定部材とともに筐体に対して着脱自在にしている。そのため、紐状部材の色や素材と固定部材の色を他のものと交換することにより、同一の筐体であっても見た目に別の筐体であるように外観を変えることが出来る。
【００１６】
また、本発明の携帯電話装置は、紐状部材を筐体に固定したまま、一部の紐状部材を溝から外して、例えば、紐状部材を折り畳み式携帯電話装置の上筐体から下筐体に掛け渡すことにより、上筐体と下筐体の開き止めとして用いることもできる。
【００１７】
（実施の形態１）
以下、本発明の第一の実施の形態に係る携帯電話装置について図面とともに説明する。図１に本発明の第一の実施の形態に係る携帯電話装置１００の外観図を示す。本発明の第一の実施の形態に係る携帯電話装置１００は、下筐体１にヒンジ２を介して上筐体３を開閉自在に支持した折り畳み式携帯電話装置として構成している。下筐体１には、図示しないが、電話番号等を入力するテンキーなどのキー操作部、上筐体３を開いた状態で通話者の音声を入力する送話用の第一のマイクロフォン、無線通信用の回路手段、制御手段、電池電源等の各手段を収納し、アンテナ４を突出させている。上筐体３には、カメラ５、カラー液晶表示装置等を用いた表示部６、そして上筐体３を閉じた状態で通話者の音声を入
力する送話用の第二のマイクロフォン７を設けている。
【００１８】
上筐体３には、上面に３ケ所、左右の側面にそれぞれ３ケ所の計９ケ所に固定部材８、９、１０を配置して、紐状部材１１、１２、１３を固定している。特に紐状部材１１を上筐体３の第二のマイクロフォン７の上部の表面と左右の側面と下面に配置して、第二のマイクロフォン７を囲んでいる。また、紐状部材１２は、上筐体３の表示部６の上下の表面と左右の側面に配置して表示部６を囲んでいる。また、紐状部材１３は、上筐体３のカメラ５の上下の表面と左右の側面に配置してカメラ５を囲んでいる。
【００１９】
紐状部材１１、１２、１３は、上筐体３に設けられた溝にそれぞれの太さの半分以下程度を嵌め込み、残りの部分を上筐体３の表面に突出している。そのため、上筐体３の上に物が乗ったり、当たったりしたとしても、乗ったり当たった相手が本などの平面であるときはもちろん、その他の外部からの衝撃力を紐状部材が受け止め、緩衝材の役目を果たす。また、衝撃力でない軽く触れたりこすったりする力についても、紐状部材１１、１２、１３が保護部材となり、上筐体３の表面はもちろん、表示部６の表面や、カメラ５の表面に物が直接触れないようになっている。また、紐状部材１１、１２、１３は上筐体３の左右の両側面上でもその太さの半分程度以上が突出しているので、上筐体３の左右の側面に直接、他の物が当たることがない。また、紐状部材１１、１２、１３の素材をゴムひもやその他の繊維でできた紐を用いることにより、一般的にプラスチック等で形成される筐体の滑りやすい左右の側面に、手になじみやすく柔らかいが摩擦係数の大きい紐があることになり、手で持ったときに携帯電話装置の筐体がすべりにくいという滑り止めの効果が得られる。
【００２０】
図２に紐状部材１１、１２、１３を固定部材８、９、１０とともに上筐体３から外した分解斜視図を示す。図２において、上筐体３には紐状部材１１、１２、１３の上筐体３に接する部分が紐状部材の太さの半分以下程度入る深さと幅をもった溝１１１、１２１、１３１が設けてある。溝１１１、１２１、１３１の途中には固定部材８、９、１０を取り付けるための穴８１、９１、１０１があけてある。
【００２１】
本発明の携帯電話装置１００では、紐状部材１１、１２、１３と固定部材８、９、１０を一体にしたものを上筐体３に取り付ける構成を採用している。すなわち、ループ状の紐状部材１１、１２、１３の所定の位置に固定部材８，９、１０を取り付けたものを用意して、紐状部材１１、１２、１３を上筐体３の溝１１１、１２１、１３１に嵌め、上筐体３の表面の穴８１、９１、１０１に固定部材８，９、１０の突起８２、９２、１０２を嵌め込んで、紐状部材１１、１２、１３を上筐体３に固定するようにしている。ここで、固定部材の詳細な形状としては、例えば、図３に固定部材９の外観を示すように、突起９２とスリット付きの円筒部分９３からなる形状をしている。スリット９４は入り口が広く奥が狭いテーパー状になっているので、紐状部材１１をスリット９４から貫通孔９５に容易に押し込むことができる。他の固定部材８、１０も基本的に同じ構造にしているので、固定部材８、９、１０を紐状部材１１、１２、１３に取り付けることができる。固定部材８，９、１０の材質としては、ゴムや比較的柔らかいプラスチックを用い、突起８２、９２、１０２の外径寸法を上筐体３の表面の穴８１、９１、１０１の内径寸法よりわずかに大きくした、軽いしまり嵌めの寸法関係として、圧入して固定するようにしている。固定部材８，９、１０の突起８２、９２、１０２を圧入すれば、突起８２、９２、１０２の復元力により固定部材８，９、１０は上筐体３に固定される。なお、紐状部材１１、１２、１３は伸縮自在のゴムひもを用いている。
【００２２】
図４に本発明の携帯電話装置１００の第一の使用状態の外観図を示す。紐状部材１１、１２、１３を上筐体３の溝に嵌め込み、溝の途中を固定部材で固定した状態で、紐状部材と筐体の表面の間に小物の一例としての鉛筆３０を挟んでいる。紐状部材１１、１２、１
３は伸縮するので、紐状部材と筐体の表面の間に鉛筆のような棒状の小物はもちろん、切符とかレシートのような紙状の物も挟むことができる。
【００２３】
図５に本発明の携帯電話装置１００の第二の使用状態の側面図を示す。図５では、Ａ矢印のように開閉する上筐体３が閉じているときに、紐状部材１１を上筐体３の表面から引っ張って溝１１１から外し、紐状部材１１を下筐体１に掛け渡している。紐状部材１１は上筐体３と下筐体１の開き止めの役目を果たす。なお、図５に示すように、下筐体１の下面に紐状部材１１を掛け渡したときには紐状部材１１が下面に突出するので、単に開き止めの効果だけでなく、携帯電話装置をテーブルに置くときの衝撃が緩和されるとともに、下筐体１の下面がテーブルに接触しないので下面に傷がつきにくくなり、そしてテーブルと紐状部材の摩擦力により携帯電話装置１００がテーブル上を滑りにくくなるという効果も得られる。
【００２４】
（実施の形態２）
次に、本発明の第二の実施の形態に係る携帯電話装置２００を説明する。図６に携帯電話装置２００の外観図を、紐状部材を取り外した紐状部材の無い状態での携帯電話装置２００の外観図を図７に示す。図７に示すように、本発明の第二の実施の形態に係る携帯電話装置２００は、上筐体２０３の表面に設けた溝２１１，２２１、２３１の途中に貫通孔のあいた固定部材２０８、２０９、２１０を予め一体に固定している。そして、溝２１１と溝２２１の隣り合う所と、溝２２１と溝２３１の隣り合う所にそれぞれ突起５０、５１を設けている。
【００２５】
携帯電話装置２００では、図７に示したように固定部材２０８、２０９、２１０を予め一体に固定した上筐体２０３に、一本の紐状部材２０１を靴ひものように通していき、最終的に図６のように紐状部材２０１を上筐体３に固定することができる。すなわち、紐状部材２０１を最初に上筐体の固定部材２１０に通し、固定部材２１０をセンターとして、紐状部材の半分を左向きに、もう半分を右向きに、靴ひもを通すように、左右方向にそれぞれ溝に嵌めていき、途中で固定部材の貫通孔に通して、突起５０、５１に紐状部材２０１を引っかけて方向変換して、紐状部材を上筐体２０３に取り付ける。紐状部材２０１を上筐体２０３の溝に嵌め終えた後、紐状部材２０１の端をリング２０４に通してから端を２０５のように結んで固定作業が完成する。
【００２６】
本発明の第二の実施の形態に係る携帯電話装置２００では、一本の紐状部材２０１を上筐体に固定することが出来るので、色彩、模様、材質の異なる紐状部材を多数準備しておいて、ユーザーが気に入った紐状部材を任意に付けかえることにより、携帯電話装置２００の本体の模様、色彩等の外観や材質感を変えてファッション性を高めることができるという効果がある。
【００２７】
図８と図９に、本発明の第二の実施の形態に係る携帯電話装置２００のの使用状態を示す。長い紐状部材２０１を用いることにより、リング２０４をずらして紐状部材２０１を任意の長さだけゆるめて筐体の溝２１１から外すことができる。図８では、紐状部材と上筐体２０３の間に鉛筆３０を挟んだ使用状態を示しているが、図９のように財布８０や手帳のような比較的大きな物に紐状部材２０１を掛け渡して、携帯電話装置２００を財布８０などと一体にして持ち運ぶという使い方ができる。
【００２８】
なお、紐状部材を上筐体２０３の表面に固定したことにより、紐状部材が緩衝材の役目を果たすこと、他の物が携帯電話装置に当たったとしても上筐体のカメラや表示部、マイクロフォンが保護されること、上筐体３の表面に傷が付きにくいこと、持ったときの滑り止めになることなど第一の実施の形態で説明した効果が得られることはもちろんである。
【００２９】
（実施の形態３）
次に、本発明の第三の実施の形態に係る携帯電話装置３００について説明する。図１０に、本発明の第三の実施の形態に係る携帯電話装置３００の紐状部材を外した状態での外観図を示す。携帯電話装置３００では、上筐体６０に溝６１、６２、６３、６４を設け、溝６１、６２、６３、６４の途中に複数の紐固定用孔６５を設けている。これら紐固定用孔６５は、第二の実施の形態で示した上筐体３の表面に突出していた固定部材２０８、２０９、２１０の代わりに紐状部材を固定するために使用する。
【００３０】
図１１に、携帯電話装置３００の上筐体６０を部分的に断面とした部分断面図を示す。携帯電話装置３００の上筐体６０には、内面板６６をネジ６８で取り付ける構造にしている。上筐体６０をＢ矢印のように開き、ネジ６８を外して内面板６６を上筐体６０から取り外すことができる。上筐体６０の内部は、カメラ５、表示部６，マイクロフォン７の配置されている部分以外は概ね空洞であるため、内面板６６を取り外すことにより、紐状部材６７を上筐体６０の外面から内面に、また内面から外面に容易に通していくことができる。上筐体６０の溝に紐状部材６７を通しきった後、再び内面板６６をネジ６８で上筐体６０へ取り付けて、紐状部材６７の固定作業を完成することができる。
【００３１】
本発明の第三の実施の形態に係る携帯電話装置３００は、第一の実施の形態、第二の実施の形態で既に説明した本発明の効果に加えて、上筐体６０の表面に固定部材を突設させず、代わりに紐固定用穴６５を設けるだけで済むので、構造がシンプルで作りやすく、固定部材がはずれないという利点がある。
【００３２】
（実施の形態４）
以上、実施の形態１から実施の形態３については、折り畳み式携帯電話装置の例を示したが、本発明は、折り畳み式携帯電話装置に限らず、いわゆるストレートタイプの携帯電話装置にも適用することができる。図１２に本発明の第四の実施の形態に係る携帯電話装置４００の外観図を示す。
【００３３】
第四の実施の形態に係る携帯電話装置４００は、単一の筐体７０に、表示部６、テンキー７１、スピーカー７２、マイクロフォン７３及び図示しない無線通信回路等の各部品を収納している。筐体７０の表面には、予め紐状部材７４、７５を通した固定部材８、９、１０を着脱可能にしている。固定部材８、９、１０を筐体７０に着脱する構造は、既に図２で示したように筐体７０の表面に固定部材８、９、１０を圧入する穴（図示しない）を明けておき、紐状部材７４、７５を通した固定部材８、９、１０を圧入して固定する。
【００３４】
本発明の携帯電話装置４００によれば、紐状部材７５が表示部６の近傍の筐体表面に盛り上がっているため、表示部６に直接、物が当たって衝撃を受けることが少なく、表面に傷がつきにくい。また、携帯電話装置のスピーカー７２部分に耳を当てて通話したとしても、耳が表示部６に密着しにくくなるので、表示部６の表面が汚れにくいという効果がある。また、筐体７０を手で持つ際に手の平でつかむ筐体７０の左右の側面部分に紐状部材７４があるので、紐状部材７４が滑り止めの役目を果たすという利点がある。
【００３５】
なお、実施の形態１から実施の形態３について示した折り畳み式携帯電話装置の下筐体の側面にも紐状部材を配置すれば、図１２で示したように通話中に手で持つ部分の滑り止めの効果が得られる。また、下筐体の表面と紐状部材の間に物を挟むことができたり、紐状部材で外部からの衝撃力を和らげるとか、すり傷が少なくなるという効果がえられるのはもちろんである。また、紐状部材の配置の方法には溝と固定部材を任意に配置することにより種々の配置を選ぶことができるので、ここに示した実施の形態以外の紐状部材の配置を採ったとしても本発明の効果が得られる。
【産業上の利用可能性】
【００３６】
本発明は、携帯電話装置と同様に携帯型のＰＤＡやゲーム機等にも適用することができる。
【図面の簡単な説明】
【００３７】
【図１】本発明の第一の実施の形態に係る携帯電話装置の外観図
【図２】本発明の第一の実施の形態に係る携帯電話装置の紐状部材を固定部材とともに外した状態の分解斜視図
【図３】本発明の第一の実施の形態に係る携帯電話装置の固定部材の斜視図
【図４】本発明の第一の実施の形態に係る携帯電話装置の使用状態を示す外観図
【図５】本発明の第一の実施の形態に係る携帯電話装置の使用状態を示す側面図
【図６】本発明の第二の実施の形態に係る携帯電話装置の外観図
【図７】本発明の第二の実施の形態に係る携帯電話装置の紐状部材を外したときの外観図
【図８】本発明の第二の実施の形態に係る携帯電話装置の使用状態を示す外観図
【図９】本発明の第二の実施の形態に係る携帯電話装置の使用状態を示す側面図
【図１０】本発明の第三の実施の形態に係る携帯電話装置の紐状部材を外したときの外観図
【図１１】本発明の第三の実施の形態に係る携帯電話装置の部分断面図
【図１２】本発明の第四の実施の形態に係る携帯電話装置の外観図
【符号の説明】
【００３８】
１  下筐体
２  ヒンジ
３  上筐体
４  アンテナ
５  カメラ
６  表示部
７  マイクロフォン
８、９，１０  固定部材
１１、１２、１３  紐状部材
８１，９１，１０１  穴
１１１、１２１、１３１  溝
【図１】
2005176179.tif 000003
【図２】
2005176179.tif 000004
【図３】
2005176179.tif 000005
【図４】
2005176179.tif 000006
【図５】
2005176179.tif 000007
【図６】
2005176179.tif 000008
【図７】
2005176179.tif 000009
【図８】
2005176179.tif 000010
【図９】
2005176179.tif 000011
【図１０】
2005176179.tif 000012
【図１１】
2005176179.tif 000013
【図１２】
2005176179.tif 000014